(57)【要約】【課題】ヒューズ等の同一形状・大きさの複数種の部品を間違えずに接続箱本体の所定の位置に挿入する。【解決手段】複数の第一の部品ガイド孔１９を有して接続箱本体３の部品装着部２にセットされる第一のガイド治具５と、第一のガイド治具の上にセットされ、第一の部品ガイド孔１９に位置整合する一以上の第二の部品ガイド孔２６1〜２６3を別々の位置に有する複数種の第二のガイド治具６1〜６3を備える部品挿入装置１を採用する。各第二のガイド治具を待機させる各受け具７1〜７3と、各受け具のセンサ３１に連動して開閉される蓋９1〜９3を有する各部品収納箱１０1〜１０3とを設ける。第一の部品ガイド孔１９の数を各第二の部品ガイド孔２６の総数に等しく設定する。二つ以上の第二のガイド治具６を受け具７から一括して取り上げた際に全ての蓋が閉まるようセンサ３１を作用させる。【選択図】図１
2005328591.tif 000002
【特許請求の範囲】
【請求項１】
複数の第一の部品ガイド孔を有して接続箱本体の部品装着部にセットされる第一のガイド治具と、該第一のガイド治具の上にセットされ、該第一の部品ガイド孔に位置整合する一以上の第二の部品ガイド孔を各々別々の位置に有する複数種の第二のガイド治具とを備えることを特徴とする部品挿入装置。
【請求項２】
前記各第二のガイド治具を待機させる各受け具と、各受け具のセンサに連動して開閉される蓋を有する各部品収納箱とを備えることを特徴とする請求項１記載の部品挿入装置。
【請求項３】
前記第一の部品ガイド孔の数が前記各第二の部品ガイド孔の総数に等しいことを特徴とする請求項１又は２記載の部品挿入装置。
【請求項４】
前記第一のガイド治具と前記第二のガイド治具とに相互の位置決め手段が設けられたことを特徴とする請求項１〜３の何れか１項に記載の部品挿入装置。
【請求項５】
二つ以上の前記第二のガイド治具を前記受け具から一括して取り上げた際に全ての前記蓋が閉まるように前記センサが作用することを特徴とする請求項２〜４の何れか１項に記載の部品挿入装置。
【請求項６】
前記各第二のガイド治具とそれらに対応する前記各部品収納箱内の部品との色が同じであることを特徴とする請求項２〜５の何れか１項に記載の部品挿入装置。
【請求項７】
全ての部品挿入後に、前記第一のガイド治具内の該部品を前記接続箱本体の部品装着部内に圧入する圧入具を備えたことを特徴とする請求項１〜６の何れか１項に記載の部品挿入装置。
【請求項８】
複数の第一の部品ガイド孔を有する第一のガイド治具を接続箱本体の部品装着部にセットし、該第一の部品ガイド孔に位置整合する一以上の第二の部品ガイド孔を有する一つ目の第二のガイド治具を該第一のガイド治具の上にセットし、全ての該第二の部品ガイド孔に一種類目の部品を挿入し、次いで該一つ目の第二のガイド治具を外して、該第二の部品ガイド孔とは異なる位置に第二の部品ガイド孔を有する二つ目の第二のガイド治具を同様にセットして同様に二種類目の部品を挿入し、このようにして複数の第二のガイド治具の第二の部品ガイド孔にそれぞれ異なる種類の部品を挿入することを特徴とする部品挿入方法。
【請求項９】
前記第二のガイド治具を受け具から取ることで部品収納箱の蓋が開き、作業者はこの部品収納箱から前記部品を取って該第二のガイド治具の部品ガイド孔に挿入し、該第二のガイド治具を該受け具に戻すことで該蓋が閉じるようにしたことを特徴とする請求項８記載の部品挿入方法。
【請求項１０】
全ての前記部品を前記第一のガイド治具内に挿入した後、該第一のガイド治具をセットした状態で該全ての部品を圧入具で一括して前記接続箱本体の部品装着部内に圧入することを特徴とする請求項８又は９記載の部品挿入方法。
【請求項１１】
請求項１〜７の何れか１項に記載の部品挿入装置又は請求項８〜１０の何れか１項に記載の部品挿入方法で前記部品を前記接続箱本体の部品装着部内に挿入して成ることを特徴とする電気接続箱。
【発明の詳細な説明】
【技術分野】
【０００１】
本発明は、ヒューズやリレー等の部品をガイド治具を用いて接続箱本体の部品装着部に挿入する部品挿入装置と部品挿入方法及びそれらによって部品を挿入した電気接続箱に関するものである。
【背景技術】
【０００２】
図６は従来の電気接続箱の一形態を示すものであり（特許文献１参照）、電気接続箱６１はヒューズ装着部６２やヒュージブルリンク装着部６３やリレー装着部６４といった種々の電気部品装着部やコネクタ装着部６５等を有している。
【０００３】
これら装着部は合成樹脂製の接続箱本体６６の壁部に形成され、内部に雄型ないし雌型の端子（図示せず）を有し、各端子は接続箱本体内のバスバー（図示せず）に一体形成されたり、電線（図示せず）に接続されている。バスバーや電線は配線板（図示せず）に所要形態に配索されている。ヒューズ装着部６３は複数のヒューズ装着孔６７を等ピッチで並列に有している。
【０００４】
例えば一方のコネクタ６５に車両のバッテリ等の電源線がコネクタ接続され、ヒューズ６８やヒュージブルリンクやリレー等を介して他方のコネクタ６５から負荷側のワイヤハーネス（図示せず）にコネクタ接続される。
【０００５】
ヒューズ６８は可溶体を内蔵した矩形状の胴部と、胴部から突出した一対のタブ端子（図示せず）とで構成され、アンペア数（定格電流）の異なる同じ形状・大きさのものが何種類も用いられている。アンペア数は通常、ヒューズ６８の頭部に記載されている。ヒュージブルリンク（図示せず）は外観が箱型に形成され、電源線等に接続される大電流用のものである。
【０００６】
ヒューズ６８やヒュージブルリンクやリレーは作業者の手作業によって接続箱本体６６の部品装着孔６７等に一つずつ挿入される。
【特許文献１】特開平１０−７４５７０号公報（図１）
【発明の開示】
【発明が解決しようとする課題】
【０００７】
しかしながら、上記従来の電気接続箱６１にあってはその組立工程において作業者が特に各ヒューズ６８を各ヒューズ装着孔６７に挿入する際に、アンペアごとに各ヒューズ６８の大きさ・形状が同一であるために、所定のヒューズ装着孔６７に挿入せずに他の異なるヒューズ装着孔６７に誤挿入してしまう危険性があった。この問題はヒューズ６８に限らず、ヒュージブルリンクやリレー等といった他の同一な形状・大きさの電気・電子部品においても同様に起こり得ることである。
【０００８】
本発明は、上記した点に鑑み、複数種の同一の形状・大きさのヒューズ等の部品を接続箱本体の所定の装着部に間違いなく正確にしかも効率良く挿入することのできる部品挿入装置と部品挿入方法及びそれらによって部品を挿入された電気接続箱を提供することを目的とする。
【課題を解決するための手段】
【０００９】
上記目的を達成するために、本発明の請求項１に係る部品挿入装置は、複数の第一の部品ガイド孔を有して接続箱本体の部品装着部にセットされる第一のガイド治具と、該第一のガイド治具の上にセットされ、該第一の部品ガイド孔に位置整合する一以上の第二の部品ガイド孔を各々別々の位置に有する複数種の第二のガイド治具とを備えることを特徴とする。
【００１０】
上記構成により、作業者が接続箱本体の上に第一のガイド治具をセットし、さらに第一のガイド治具の上に一つ目の第二のガイド治具をセットする。作業者は一種類目の部品を第二のガイド治具の部品ガイド孔に挿入し、挿入後に第二のガイド治具を元位置に返却する。作業者は二つ目の第二のガイド治具を第一のガイド治具の上にセットし、同様にして二種類目の部品を第二の部品ガイド孔に挿入する。複数種の第二のガイド治具で同様の操作を繰り返して全ての種類の部品を各第二のガイド治具を経て第一のガイド治具の部品ガイド孔に挿入する。第一のガイド治具に挿入した部品は例えば一括して接続箱本体内に圧入することができる。
【００１１】
請求項２に係る部品挿入装置は、請求項１記載の部品挿入装置において、前記各第二のガイド治具を待機させる各受け具と、各受け具のセンサに連動して開閉される蓋を有する各部品収納箱とを備えることを特徴とする。
【００１２】
上記構成により、作業者が接続箱本体の上に第一のガイド治具をセットし、さらに第一のガイド治具の上に一つ目の第二のガイド治具をセットする際に、一つ目の第二のガイド治具を一つ目の受け具から取り上げるとセンサが検知して、一つ目の第二のガイド治具に対応する部品収納箱の蓋が駆動手段で開く。作業者はその部品収納箱から一種類目の部品を取り出して第二のガイド治具の部品ガイド孔に挿入する。一つ目の第二のガイド治具を受け具に戻すことでセンサが検知して駆動手段で蓋が閉止される。作業者は二つ目の第二のガイド治具を同様に受け具から取って第一のガイド治具の上にセットし、同様にして蓋の開いた二つ目の部品収納箱から二種類目の部品を取り出して同様に第二の部品ガイド孔に挿入する。
【００１３】
請求項３に係る部品挿入装置は、請求項１又は２記載の部品挿入装置において、前記第一の部品ガイド孔の数が前記各第二の部品ガイド孔の総数に等しいことを特徴とする。
【００１４】
上記構成により、全ての第二のガイド治具を用いて各種部品を挿入し、最後の第二のガイド治具を接続箱本体上の第一のガイド治具から外した際に、第一のガイド治具の部品ガイド孔に一つでも空きがあれば部品の挿入忘れであることが容易に認知される。
【００１５】
請求項４に係る部品挿入装置は、請求項１〜３の何れか１項に記載の部品挿入装置において、前記第一のガイド治具と前記第二のガイド治具とに相互の位置決め手段が設けられたことを特徴とする。
【００１６】
上記構成により、第一のガイド治具と第二のガイド治具とが相互に位置決めされ、両ガイド治具の部品ガイド孔が位置ずれなく整合する。これにより、部品が第二のガイド治具の部品ガイド孔から第一のガイド治具の部品ガイド孔に引っ掛かり等なくスムーズに挿入される。接続箱本体と第一のガイド治具との位置決めは例えば接続箱本体の凸状の部品装着部に第一のガイド治具の凹部を係合させる等の手段で行われ、これにより接続箱本体の部品装着孔と第一の部品ガイド孔とが正確に位置整合する。
【００１７】
請求項５に係る部品挿入装置は、請求項２〜４の何れか１項に記載の部品挿入装置において、二つ以上の前記第二のガイド治具を前記受け具から一括して取り上げた際に全ての前記蓋が閉まるように前記センサが作用することを特徴とする。
【００１８】
上記構成により、例えば二つの第二のガイド治具を各受け具から同時又はほぼ同時に取り上げた際に、各受け具のセンサがそれを検知して制御部に信号を送り、制御部が各部品収納箱の駆動手段に閉じ信号を送って各蓋を直ちに閉止する。これにより、作業者が二種類の部品を同時に手に取ることができず、異種部品の誤挿入が確実に防止される。
【００１９】
請求項６に係る部品挿入装置は、請求項２〜５の何れか１項に記載の部品挿入装置において、前記各第二のガイド治具とそれらに対応する前記各部品収納箱内の部品との色が同じであることを特徴とする。
【００２０】
上記構成により、作業者が部品収納箱内の部品と、部品収納箱の近傍に配置された第二のガイド治具との見極めを容易に行うことができ、各受け具に対する各第二のガイド治具の入れ違えを防止することができる。万一、第二のガイド治具が入れ違った場合は部品挿入時に部品の色と第二のガイド治具の色とが違うから、その異常が容易に認知される。
【００２１】
請求項７に係る部品挿入装置は、請求項１〜６の何れか１項に記載の部品挿入装置において、全ての部品挿入後に、前記第一のガイド治具内の該部品を前記接続箱本体の部品装着部内に圧入する圧入具を備えたことを特徴とする。
【００２２】
上記構成により、最後の第二のガイド治具で部品を第一のガイド治具内に挿入した後、第二のガイド治具を元の受け具に戻し、第一のガイド治具の上方から各部品を圧入具で押圧して接続箱本体の部品装着部内に圧入する。圧入は例えば複数の押圧ピンで一括して行うことが好ましい。圧入によって部品の端子と接続箱本体内の相手側端子とが相互に接続される。
【００２３】
請求項８に係る部品挿入方法は、複数の第一の部品ガイド孔を有する第一のガイド治具を接続箱本体の部品装着部にセットし、該第一の部品ガイド孔に位置整合する一以上の第二の部品ガイド孔を有する一つ目の第二のガイド治具を該第一のガイド治具の上にセットし、全ての該第二の部品ガイド孔に一種類目の部品を挿入し、次いで該一つ目の第二のガイド治具を外して、該第二の部品ガイド孔とは異なる位置に第二の部品ガイド孔を有する二つ目の第二のガイド治具を同様にセットして同様に二種類目の部品を挿入し、このようにして複数の第二のガイド治具の第二の部品ガイド孔にそれぞれ異なる種類の部品を挿入することを特徴とする。
【００２４】
上記構成により、作業者が接続箱本体の上に第一のガイド治具をセットし、さらに第一のガイド治具の上に一つ目の第二のガイド治具をセットする。作業者は一種類目の部品を第二のガイド治具の部品ガイド孔に挿入し、挿入後に第二のガイド治具を元位置に返却する。作業者は二つ目の第二のガイド治具を第一のガイド治具の上にセットし、同様にして二種類目の部品を第二の部品ガイド孔に挿入する。複数種の第二のガイド治具で同様の操作を繰り返して全ての種類の部品を各第二のガイド治具を経て第一のガイド治具の部品ガイド孔に挿入する。第一のガイド治具に挿入した部品は例えば一括して接続箱本体内に圧入することができる。
【００２５】
請求項９に係る部品挿入方法は、請求項８記載の部品挿入方法において、前記第二のガイド治具を受け具から取ることで部品収納箱の蓋が開き、作業者はこの部品収納箱から前記部品を取って該第二のガイド治具の部品ガイド孔に挿入し、該第二のガイド治具を該受け具に戻すことで該蓋が閉じるようにしたことを特徴とする。
【００２６】
上記構成により、作業者が接続箱本体の上に第一のガイド治具をセットし、さらに第一のガイド治具の上に一つ目の第二のガイド治具をセットする際に、一つ目の第二のガイド治具を一つ目の受け具から取り上げるとセンサが検知して、一つ目の第二のガイド治具に対応する部品収納箱の蓋が駆動手段で開く。作業者はその部品収納箱から一種類目の部品を取り出して第二のガイド治具の部品ガイド孔に挿入する。一つ目の第二のガイド治具を受け具に戻すことでセンサが検知して駆動手段で蓋が閉止される。作業者は二つ目の第二のガイド治具を同様に受け具から取って第一のガイド治具の上にセットし、同様にして蓋の開いた二つ目の部品収納箱から二種類目の部品を取り出して同様に第二の部品ガイド孔に挿入する。
【００２７】
請求項１０に係る部品挿入方法は、請求項８又は９記載の部品挿入方法において、全ての前記部品を前記第一のガイド治具内に挿入した後、該第一のガイド治具をセットした状態で該全ての部品を圧入具で一括して前記接続箱本体の部品装着部内に圧入することを特徴とする。
【００２８】
上記構成により、最後の第二のガイド治具で部品を第一のガイド治具内に挿入した後、第二のガイド治具を元の受け具に戻し、第一のガイド治具の上方から各部品を圧入具で押圧して接続箱本体の部品装着部内に圧入する。圧入は例えば複数の押圧ピンで一括して行われる。圧入によって部品の端子と接続箱本体内の相手側端子とが相互に接続される。
【００２９】
請求項１１に係る電気接続箱は、請求項１〜７の何れか１項に記載の部品挿入装置又は請求項８〜１０の何れか１項に記載の部品挿入方法で前記部品を前記接続箱本体の部品装着部内に挿入して成ることを特徴とする。
【００３０】
上記構成により、同じ大きさ・形状の異種部品の組み付け間違いが防止された品質の高い電気接続箱が完成する。
【発明の効果】
【００３１】
請求項１記載の発明によれば、部品の種類ごとに異なる孔位置の第二のガイド治具を用いて部品を挿入することで、同一な大きさ・形状の各種部品を位置間違いなく正確に接続箱本体の部品装着部に挿入することができる。これによって電気接続箱のヒューズやリレー等の部品接続品質が向上する。また、第一のガイド治具の上から各第二のガイド治具で異なる種類の部品を挿入することで、第一のガイド治具で全ての種類の部品を保持した状態で、例えば圧入具等で接続箱本体内に各部品を圧入することができ、ガイド治具からの部品の抜け落ち等なく正確に部品を接続箱本体に装着することができる。
【００３２】
請求項２記載の発明によれば、一種類の部品に対応した部品収納箱の蓋しか開かないから、部品の取り間違えを確実に防止することができ、これによって電気接続箱の部品接続品質が一層向上する。
【００３３】
請求項３記載の発明によれば、部品を挿入し終えた後、第一のガイド治具の部品ガイド孔に空きがあるか否かを目視確認することで、部品の挿入忘れを容易に検知することができる。これにより、部品の挿入忘れが防止され、電気接続箱の品質が向上する。
【００３４】
請求項４記載の発明によれば、第一及び第二のガイド治具の部品ガイド孔が正確に位置整合するから、部品の挿入をスムーズ且つ確実に行うことができる。
【００３５】
請求項５記載の発明によれば、開かれた全ての蓋が閉じられることで、作業者が複数種の部品を同時に手にすることができないから、異種部品の誤挿入が確実に防止され、電気接続箱の部品接続品質が一層向上する。
【００３６】
請求項６記載の発明によれば、各部品収納箱近傍の各受け具に対する各第二のガイド治具の入れ違えを防止することができ、また部品挿入時にも部品と第二のガイド治具との色が違うことで異常を容易に検知することができ、それらにより異種部品の挿入が確実に防止される。
【００３７】
請求項７記載の発明によれば、第一のガイド治具で各部品を保持した状態で圧入具で各部品を一括して接続箱本体内に圧入することができ、圧入作業すなわち部品の端子接続を部品の離脱等なく容易に且つ確実に行うことができる。
【００３８】
請求項８記載の発明によれば、部品の種類ごとに異なる孔位置の第二のガイド治具を用いて部品を挿入することで、同一な大きさ・形状の各種部品を位置間違いなく正確に接続箱本体の部品装着部に挿入することができる。これによって電気接続箱のヒューズやリレー等の部品接続品質が向上する。また、第一のガイド治具の上から各第二のガイド治具で異なる種類の部品を挿入することで、第一のガイド治具で全ての種類の部品を保持した状態で、例えば圧入具等で接続箱本体内に各部品を圧入することができ、ガイド治具からの部品の抜け落ち等なく正確に部品を接続箱本体に装着することができる。
【００３９】
請求項９記載の発明によれば、一種類の部品に対応した部品収納箱の蓋しか開かないから、部品の取り間違えを確実に防止することができ、これによって電気接続箱の部品接続品質が一層向上する。
【００４０】
請求項１０記載の発明によれば、第一のガイド治具で各部品を保持した状態で圧入具で各部品を一括して接続箱本体内に圧入することができ、圧入作業すなわち部品の端子接続を部品の離脱等なく容易に且つ確実に行うことができる。
【００４１】
請求項１１記載の発明によれば、同じ大きさ・形状の異種部品の組み付け間違いを防止した品質の高い電気接続箱を提供することができる。
【発明を実施するための最良の形態】
【００４２】
図１〜図３は本発明に係る部品挿入装置としてのヒューズ挿入装置の一実施形態を示すものである。
【００４３】
図１の如くこのヒューズ挿入装置１は、ヒューズ装着部（部品装着部）２を上向きにして接続箱本体３をセットする受け具４と、ヒューズ装着部２の上にセットされる各種ヒューズ共通の第一のガイド治具５と、ヒューズ（部品）８1〜８3の種類（アンペア）ごとに設定され、第一のガイド治具５の上にセットされる第二のガイド治具６1〜６3と、各ヒューズ８1〜８3を種類ごとに収容し、各第二のガイド治具６1〜６3を各受け具７1〜７3から取ると蓋９1〜９3が開くように設定された部品収納箱１０1〜１０3とを備えるものである。
【００４４】
本例の電気接続箱は合成樹脂製の接続箱本体３の幅狭な一側壁１１に突出したヒューズ装着部３を有し、ヒューズ装着部３は複数の同じ形状・大きさのヒューズ装着孔（部品装着孔）１２を等ピッチで並列に有し、各ヒューズ装着孔１２はヒューズ脱抜用の溝１３で直交方向に連通されている。
【００４５】
各ヒューズ装着孔１２の内部には例えば音叉状の挟持端子（図示せず）が配置され、挟持端子はバスバー（図示せず）に一体に続き、バスバーは圧接端子を介して配線板（図示せず）の電線に接続されている。配線板は接続箱本体３の幅広の壁部１４に沿って平行に配置されている。接続箱本体３の幅狭な他側壁にはコネクタ（図示せず）が設けられている。
【００４６】
接続箱本体３に対する受け具４は好ましくは合成樹脂で形成され、上向きに開口した凹状の孔部１６を有して略矩形筒状に構成されている。受け具４は第一のガイド治具５に対する一対の受け具１７と共に作業台１８の上に配置されている。受け具１７は第一のガイド治具５を簡単に且つ傷付きなく載置し得るように略凹字状に形成されている。作業者は作業台１８の上でヒューズ８1〜８3の挿入作業を行う。
【００４７】
第一のガイド治具５は金属材で矩形板状に形成され、幅方向中央に接続箱本体３の各ヒューズ装着孔１２に対応した等しい数及び位置の第一のヒューズガイド孔（部品ガイド孔）１９を等ピッチで並列に有している。各ヒューズガイド孔１９は前記ヒューズ脱抜用の溝１３に対応するスリット孔２０で直交方向に連通されている。
【００４８】
第一のガイド治具５の上面には、前後両端側において第二のガイド治具６1〜６3に対する位置決めピン（位置決め手段）２１，２２が突設されると共に、後述のヒューズ圧入具に対する位置決め孔（位置決め手段）２３を有する突板部２４が設けられている。前後一対の位置決めピン２１，２２は異なる外径で形成されて、第一のガイド治具５の対角方向に配置されている。第一のガイド治具５の下面側には接続箱本体３の突出したヒューズ装着部２に対する位置決め係合用の凹部（図示せず）が設けられている。凹部はヒューズガイド孔１９の下側に位置している。
【００４９】
第二の各ガイド治具６1〜６3は接続箱本体３の受け具４に隣接して配置されている。作業台１８に隣接する支持台２５に各第二のガイド治具６1〜６3を載置するための各受け具７1〜７3（図３）が配置され、各受け具７1〜７3の上に各第二のガイド治具６1〜６3が配置されている。
【００５０】
第二のガイド治具６1〜６3は好ましくは軽い合成樹脂材等で略矩形板状に形成されている。本例で第二の各ガイド治具６1〜６3は三枚配置され、一つ目のガイド治具６1は例えば１０アンペアのヒューズ８1に対応し、二つ目のガイド治具６2は例えば２０アンペアのヒューズ８2に対応し、三つ目のガイド治具６3は例えば３０アンペアのヒューズ８3に対応して、各第二のガイド治具６1〜６3の幅方向中央において、接続箱本体３の各ヒューズの正規挿入位置（ヒューズ装着孔１２）に対応した位置にそれぞれ第二のヒューズガイド孔（部品ガイド孔）２６1〜２６3を有している。
【００５１】
三枚の全ての第二のガイド治具６1〜６3のヒューズガイド孔２６1〜２６3の数の総和は接続箱本体３のヒューズ装着孔１２の数と、第一のガイド治具５のヒューズガイド孔１９の数とに等しく設定されている。
【００５２】
第二のガイド治具６1〜６3を三枚としたのはあくまでも一例であり、ヒューズ８が二種類（例えば１０アンペアと２０アンペア）の場合は第二のガイド治具６が二枚、ヒューズ８が四種類（例えば１０，１５，２５，３０アンペア）の場合は第二のガイド治具６が四枚というように、接続箱本体３に装着されるヒューズ８の種類に等しい枚数の第二のガイド治具６が配置される。これらの場合も各第二のガイド治具６のヒューズガイド孔２６の総数は接続箱本体３のヒューズ装着孔１２の数と、第一のガイド治具５のヒューズガイド孔１９の数とに等しく設定される。
【００５３】
第二のガイド治具６1〜６3にはその前後両端側に前記第一のガイド治具５の位置決めピン２１，２２に対する一対の係合孔（位置決め手段）２７，２８が対角方向に設けられている。各一対の係合孔２７，２８の内径は異なる外径の各位置決めピン２１，２２に対応して設定されている。
【００５４】
各第二のガイド治具６1〜６3を載置する各受け具７1〜７3は板状に形成され、前後両端側に各第二のガイド治具６1〜６3の係合孔２７，２８に対する一対の位置決めピン（位置決め手段）２９，３０（図３）を対角方向に有している。一対の位置決めピン２９，３０の各外径は第一のガイド治具５の各位置決めピン２１，２２の外径にほぼ等しい。
【００５５】
各受け具７1〜７3には各第二のガイド治具６1〜６3の有無を検知するセンサ３１がそれぞれ設けられており、各センサ３１は各信号線３２を介して制御部３４に接続され、制御部３４は各部品収納箱１０1〜１０3の蓋９1〜９3を開閉するアクチュエータ（駆動手段）３５に電線３６で接続されている。センサ３１としてはフォトセンサや近接スイッチやリミットスイッチ等、種々のものを適用可能である。アクチュエータ３５としては電気的なソレノイドやエアシリンダ等、種々のものを適用可能である。
【００５６】
各第二のガイド治具６1〜６3に近接して各部品収納箱１０1〜１０3が配置され、一つ目の第二のガイド治具６1に対するセンサ３１は制御部３４を介して一つ目の部品収納箱１０1の蓋開閉用のアクチュエータ３５に接続され、二つ目の第二のガイド治具６2に対するセンサ３１は制御部３４を介して二つ目の部品収納箱１０2のアクチュエータ３５に接続され、三つ目の第二のガイド治具６3に対するセンサ３１は制御部３４を介して三つ目の部品収納箱１０3のアクチュエータ３５に接続されている。
【００５７】
例えば一つ目の第二のガイド治具６1を受け具７1から取り外すと、その受け具７1のセンサ３１がオン（又はオフ）し、制御部３４が一つ目の部品収納箱１０1のアクチュエータ３５を作動させてその蓋９1を開ける。一つ目の第二のガイド治具６1を受け具７1に戻した後、二つ目（又は三つ目）の第二のガイド治具６2（６3）を受け具７2（７3）から取り外すと、その受け具７2（７3）のセンサ３１がオン（又はオフ）し、制御部３４が二つ目（又は三つ目）の部品収納箱１０2（１０3）のアクチュエータ３５を作動させてその蓋９2（９3）を開ける。
【００５８】
また、制御部３４において二つないしそれ以上のセンサ３１が同時にオン（又はオフ）した場合に、それらのセンサ３１に対応する全てのアクチュエータ３５を作動させて全ての部品収納箱１０の蓋９を強制的に閉じるように回路設定されている。
【００５９】
各蓋９は各部品収納箱１０にヒンジ３７を介して開閉自在に設けられ、アクチュエータ３５は例えばそのロッド３５ａがブラケット３８を介して中央のヒンジ３７に連結されて、ロッド３５ａの伸長動作で蓋９が閉まり、ロッド３５ａの圧縮動作で蓋９が開くようになっている。
【００６０】
各蓋９は中味（ヒューズ）の見える透明な合成樹脂材で形成され、各部品収納箱１０は金属板等で形成されることが好ましい。各部品収納箱１０は支持台３９の上に配置されている。各支持台２５，３９の形状等は適宜設定可能である。
【００６１】
各ヒューズ８1〜８3がアンペアごとに異なる色で色彩（色分け）されている場合は、部品収納箱１０1〜１０3内のヒューズ８1〜８3と同じ色で第二のガイド治具６1〜６3を色分けすることが好ましい。例えば一つ目の部品収納箱６1内のヒューズ８1の色が赤であれば、一つ目の第二のガイド治具６1を赤色の合成樹脂材で形成し、二つ目の部品収納箱内のヒューズ８2の色が青であれば、二つ目の第二のガイド治具６2を青色の合成樹脂材で形成する等である。これにより、作業者が透明な蓋９の中味（ヒューズ）の色と第二のガイド治具６の色とを一致させて、受け具７への第二のガイド治具６の戻し間違い等を未然に防ぐことができる。
【００６２】
以下に上記ヒューズ挿入装置１を用いたヒューズ挿入方法を説明する。
【００６３】
先ず図１の如く接続箱本体３のヒューズ装着部２を上向きにして接続箱本体３を作業台１８の受け具４に挿入セットする。図１の作業開始状態において第一のガイド治具５は作業台１８の受け具４に載置され、第二の各ガイド治具６1〜６3は作業台１８に隣接した各受け具７1〜７3に載置され、各部品収納箱１０1〜１０3は蓋９1〜９3が閉じられた状態となっている。
【００６４】
次いで図２の如く作業者が第一のガイド治具５を受け具１７から取り上げて受け具４内の接続箱本体３のヒューズ装着部２の上にセットする。第一のガイド治具５は裏面の凹部（図示せず）が接続箱本体３の突出したヒューズ装着部２に嵌合して位置決めされる。
【００６５】
次いで図３の如く作業者が一つ目の第二のガイド治具６1を受け具７1から取り上げて接続箱本体上の第一のガイド治具５の上にセットする。第二のガイド治具６1はその係合孔２７，２８が第一のガイド治具５の位置決めピン２１，２２に係合して正確に位置決めされ、第二のガイド治具６1の各ヒューズガイド孔２６1が第一のガイド治具５のヒューズガイド孔１９（図２）の上に整合する。
【００６６】
一つ目の第二のガイド治具６1を受け具７1から取り上げた際にセンサ３１がオン（又はオフ）して一つ目の部品収納箱１０1のアクチュエータ３５が作動し、その部品収納箱１０1の蓋９1が開く。作業者は蓋９1の開いた部品収納箱１０1からヒューズ８1を一つずつ取り出して、接続箱本体上の第二のガイド治具６1の各ヒューズガイド孔２６1に挿入する。図３の例では一つ目の第二のガイド治具６1に三つのヒューズガイド孔２６1が開いているから、その三つのヒューズガイド孔２６1に同じ種類のヒューズ８1を順に挿入する。ヒューズ８1は第二のガイド治具６1のヒューズガイド孔２６1から下側の第一のガイド治具５のヒューズガイド孔１９（図２）に挿入される。この段階でヒューズ８1は接続箱本体３のヒューズ装着孔１２（図１）には初期挿入されるのみで完全には挿入（圧入）されていない。
【００６７】
全て（本例で三つ）のヒューズガイド孔２６1に一種類目のヒューズ８1を挿入し終えたら、一つ目の第二のガイド治具６1を第一のガイド治具５から取って元の一つ目の受け具７1に戻す。第二のガイド治具６1を受け具７1に戻すことで、受け具７1のセンサ３１がオフ（又はオン）し、一つ目の部品収納箱１０1のアクチュエータ３５が逆方向に作動して蓋９1が閉まる。三つのヒューズ８1は第一のガイド治具６1の各ヒューズガイド孔２６1に保持され、各ヒューズ８1の上端面は第一のガイド治具５の水平な上面とほぼ同一平面に位置する。
【００６８】
作業者は二つ目の第二のガイド治具６2を受け具７2から取り上げて、上記同様に接続箱本体上の第一のガイド治具５の上にセットする。第二のガイド治具６2を取り上げると同時に二つ目の部品収納箱１０2の蓋９2が開き、作業者は上記同様に二つ目の部品収納箱１０2からヒューズ８2を取り出して二つ目の第二のガイド治具６2の各ヒューズガイド孔２６2に順に挿入する。一つ目の第二のガイド治具６1のヒューズガイド孔２６1の位置と二つ目の第二のガイド治具６2のヒューズガイド孔２６2の位置とは異なっているから、第一のガイド治具５に既に挿入済みのヒューズ８1と新たに挿入するヒューズ８2とが衝突することはない。
【００６９】
二つ目の第二のガイド治具６2の全て（本例で四つ）のヒューズガイド孔２６2に二種類目のヒューズ８2を挿入し終えたら、第二のガイド治具６2を第一のガイド治具５から外して元の受け具７2上に戻す。これにより、センサ３１の作用で蓋９2が閉じる。
【００７０】
次いで三つ目の第二のガイド治具６3を受け具７3から取って第一のガイド治具５上にセットし、蓋９3の開いた三つ目の部品収納箱１０3からヒューズ８3を取って第二のガイド治具６3のヒューズガイド孔２６3に挿入する。全てのヒューズガイド孔２６3（本例で二つ）に三種類目のヒューズ８3を挿入し終えたら、第二のガイド治具６3を元の受け具７3に戻し、センサ３１の作用で蓋９3が閉まる。
【００７１】
三つの第二のガイド治具６1〜６3のヒューズガイド孔２６1〜２６3の総数と第一のガイド治具５のヒューズガイド孔１９（図２）の数とは同じであるから、万一、第一のガイド治具５のヒューズガイド孔１９にヒューズ８1〜８3の未挿入があった場合は、ヒューズ８の挿入忘れであることが容易に検知される。
【００７２】
また、作業者が万一ずるをして、複数の第二のガイド治具６を同時ないし時間差をおいて各受け具７から取ることで各部品収納箱１０の蓋９を開けっ放しにして各種ヒューズ８を取ろうとしても、各受け具７のセンサ３１の信号で制御部３４が各アクチュエータ３５を閉じ方向に駆動させ、全ての蓋９を閉めるから、作業者が二種類ないしそれ以上のヒューズ８を同時に手にすることができず、異なる種類のヒューズ８の誤挿入が確実に防止される。
【００７３】
接続箱本体上の第一のガイド治具５に全てのヒューズ８が挿入されたら、接続箱本体３を第一のガイド治具５と一体で受け具４から外して、図４に示す隣接のヒューズ圧入工程（ヒューズ圧入機）に移動し、ヒューズ圧入機の圧入具４１で第一のガイド治具５内の各ヒューズ８を下向きに押圧して接続箱本体３の各ヒューズ装着孔１２（図５）に圧入する。ヒューズ圧入機は図１のヒューズ挿入装置１の一部である。
【００７４】
図４で圧入具４１は各ヒューズ８に対応した位置及び数の垂直な押圧ピン４２を並列に有すると共に、両側に第一のガイド治具５の係合孔２３に対する位置決めピン４３を有している。押圧ピン４２がヒューズ８に接する前に位置決めピン４３が係合孔２３に進入する。各押圧ピン４２と位置決めピン４３を固定した水平な連結部４４は手動プレスやシリンダ等のラム（図示せず）に連結されている。
【００７５】
図４の如く接続箱本体３をガイド部４５に沿って位置決めさせた後、スイッチを押して圧入具４１を下降させ、各押圧ピン４２で各ヒューズ８を接続箱本体３のヒューズ装着孔１２（図５）に圧入する。圧入力はヒューズ８のタブ端子と接続箱本体内の図示しない挟持端子や雌端子との接続に要する力にほぼ等しい。
【００７６】
圧入が完了したら、図５の如く第一のガイド治具５を外して電気接続箱４６が完成する。各ヒューズ８の上端面は接続箱本体３のヒューズ装着部２の上面２ａすなわち各ヒューズ装着孔１２の上部開口端とほぼ同一平面に位置する。第一のガイド治具５（図４）は元の受け具１７（図１）に戻される。そして次の接続箱本体３を受け具４（図１）にセットし、上記同様の作業で各ヒューズ装着孔１２に各ヒューズを挿入する。
【００７７】
なお、上記実施形態においては、接続箱本体３を挿入セットする受け具４を設けたが、接続箱本体３の安定の良い場合は受け具４を用いずに接続箱本体３を直接作業台１８に置くことも可能である。
【００７８】
また、上記実施形態においては三種類のヒューズ８を装着する場合で説明したが、四種類のヒューズ８を用いる場合は、四つの第二のガイド治具６と四つの部品収納箱１０を用いる。同様にして五種類ないしそれ以上のヒューズ８を装着することも可能である。
【００７９】
また、例えばオプション用のヒューズ（８）を接続箱本体３のヒューズ装着部２に後付けする場合には、オプション用のヒューズを除いた数のヒューズガイド孔１９を第一のガイド治具５に設け、第一のガイド治具５のヒューズガイド孔１９と各第二のガイド治具６のヒューズガイド孔２６の総数とを一致させておき、後でオプション用のヒューズをヒューズ装着部２の空きスペース（ヒューズ装着孔１２）に装着することも可能である。
【００８０】
また、上記実施形態においては部品収納箱１０の蓋９を強制的に閉めるように構成したが、例えば隣接する各部品収納箱１０の間と各第二のガイド治具６（受け具７）の間とに高い隔壁（図示せず）を設け、各部品収納箱１０の蓋９を取り外した（設けない）状態で、受け具７から取り外した第二のガイド治具６に対応する部品収納箱１０をセンサ３１の信号により制御部３４を介してライトで照らす等して、作業者に認知させることも可能である。このことは蓋９を用いずに第一及び第二のガイド治具５，６のみでヒューズ８の挿入を行わせる上で有効である。また、蓋９のない各部品収納箱１０を用い、第一のガイド治具５と複数種の第二のガイド治具６とで各種ヒューズ８の挿入を行わせることも、誤挿入防止精度はやや落ちるものの有効である。
【図面の簡単な説明】
【００８１】
【図１】本発明に係る部品挿入装置の一実施形態を示す斜視図である。
【図２】部品挿入装置の第一のガイド治具をセットした状態を示す斜視図である。
【図３】同じく第二のガイド治具をセットした状態を示す斜視図である。
【図４】部品圧入工程を示す斜視図である。
【図５】部品を圧入した電気接続箱を示す斜視図である。
【図６】従来の方法で部品を挿入した電気接続箱の一形態を示す斜視図である。
【符号の説明】
【００８２】
１            ヒューズ挿入装置（部品挿入装置）
２            部品装着部
３            接続箱本体
５            第一のガイド治具
６1〜６3      第二のガイド治具
７1〜７3      受け具
８1〜８3      ヒューズ（部品）
９1〜９3      蓋
１０1〜１０3  部品収納箱
１９          第一のヒューズガイド孔（部品ガイド孔）
２１，２２    位置決めピン（位置決め手段）
２６1〜２６3  第二のヒューズガイド孔（部品ガイド孔）
２７，２８    係合孔（位置決め手段）
３１          センサ
４１          圧入具
４６          電気接続箱
【図１】
2005328591.tif 000003
【図２】
2005328591.tif 000004
【図３】
2005328591.tif 000005
【図４】
2005328591.tif 000006
【図５】
2005328591.tif 000007
【図６】
2005328591.tif 000008